(57)【要約】      （修正有）【課題】組子やシート状の打抜き飾り材を外枠体に対して着脱自在で移動可能に配することで、多種・多様な装飾を施すとともに、ガラス板やアクリル板などの透明・半透明の板を介して、打抜き飾り材を立体的に表示する打抜き飾りの衝立等仕切り部材を提供する。【解決手段】外枠体２に打抜き飾り材６Ａ〜６Ｄを着脱自在に保持する飾付け用フレーム５を使用して打ち抜き飾り材６Ａ〜６Ｄを着脱自在で移動可能に保持するための飾付け用スライド部５ａを所定位置に設けて、中央の透明・半透明板３や透光性を有するシート体を介してその表側と裏側の少なくも一方に打ち抜き飾り材６Ａ〜６Ｄを着脱自在に配置したり、移動可能に配置する。【選択図】図３
0003232265.tif 000002
【実用新案登録請求の範囲】
【請求項１】
格子状などの模様が施された衝立等の仕切用部材において、ガラス板やアクリル板などを中央に配置する透明・半透明の板、及び／又は、障子・和紙・布地などを中央に配置する透光性を有するシート体と、これらを取り付ける外枠体と、前記外枠体を格子状に仕切るための飾り材用フレームと、組子などの打ち抜いた打抜き飾り材を備え、前記外枠体に前記透明・半透明の板又は透光性を有するシート体を着脱するためのスリットが形成されて装脱自在に構成されているとともに、前記外枠体と前記飾り材用フレームや前記飾り材用フレームと飾り材用フレームにより設けられる飾付け用スライド部を所定位置に設けて、前記表側枠体と前記裏側枠体の少なくも一方に前記打ち抜き飾り材を着脱自在に配置したり、及び／又は、前記飾付け用スライド部に沿って前記打ち抜き飾り材が摺接して移動可能であることを特徴とする打抜き飾りの衝立等仕切り部材。
【請求項２】
前記外枠体は、四角形状であり、前記外枠体を格子状に仕切るための飾り材用フレームを備え、前記外枠体に前記透明・半透明の板及び／又は透光性を有するシート体を着脱するためのスリットが前記外枠体の上部及び／又は左右側部に設けられており、前記ガラス板やアクリル板などの透明・半透明の板及び／又は前記障子・和紙・布地などの透光性を有するシート体を上部から装脱したり、及び／又は、左右側部から引き出して左右に長くしたりして使用できることを特徴とする請求項１記載の打抜き飾りの衝立等仕切り部材。
【請求項３】
前記ガラス板やアクリル板などの透明・半透明の板、及び／又は、前記障子・和紙・布地などの透光性を有するシート体が前記外枠体の中央にスリットを介して配置されるとともに、前記打抜き飾り材が前記表側枠体と前記裏側枠体の両方において配置されて、前記中央の透明・半透明板や透光性を有するシート体を介して表側と裏側の一方から他方側の抜き飾り材やその影絵を見ることができることを特徴とする請求項１又は２記載の打抜き飾りの衝立等仕切り部材。
【請求項４】
前記打抜き飾り材は、多角形状であり、その外周角の対向する辺に沿って前記飾付け用スライド部に挟まれた摺接移動が可能に構成されているか、又は、前記打抜き飾り材は、円形状或いは楕円形であり、その外周辺に沿って前記飾付け用スライド部に挟まれた摺接移動が可能に構成されていることを特徴とする請求項１ないし３のいずれか１項記載の打抜き飾りの衝立等仕切り部材。
【請求項５】
前記ガラス板やアクリル板などの透明・半透明の板と前記障子・和紙・布地などの透光性を有するシート体は、表側に配される一方のガラス板やアクリル板などの透明・半透明の板と裏側に配される他方のガラス板やアクリル板などの透明・半透明の板の間に前記障子・和紙・布地などの透光性を有するシート体が前記ガラス板やアクリル板などの透明・半透明の板の静電気を利用して挟持されていることを特徴とする請求項１ないし４のいずれか１項記載の打抜き飾りの衝立等仕切り部材。
【請求項６】
前記中央の透明・半透明の板は、少なくとも２枚で構成されており、これらガラス板の間に前記透光性を有するシート体が配置されており、前記透光性を有するシート体が配置される位置は、前記外枠体と前記飾り材用フレームや前記飾り材用フレームと飾り材用フレームにより飾付け用スライド部飾り材用フレームと飾り材用フレームにより設けられる飾付け用スライド部の位置であり、その他の部分では、前記ガラス板やアクリル板などの透明な板で構成されていることを特徴とする請求項１ないし５のいずれか１項記載の打抜き飾りの衝立等仕切り部材。
【請求項７】
前記中央の透明・半透明の板は、その上方側に前記上方のスリットの上端に掛止するためのＬ字状の掛止部が設けられているか、及び／又は、手で把持して引き出すための把持部が設けられているとともに、その下端側には障子・和紙・布地などの透光性を有するシート体を抜き差しするための載置部が突出して設けられていることを特徴とする請求項５又は６記載の打抜き飾りの衝立等仕切り部材。
【請求項８】
前記障子・和紙・布地などの透光性を有するシート体は、表側と裏側の二枚で構成されて、これらの間に前記ガラス板やアクリル板などの透明・半透明の板が挟持されるとともに、前記表側と裏側の透光性を有するシート体は、消毒液・除菌液が塗布されているか、及び／又は、消毒液・除菌液の水分を利用して前記ガラス板やアクリル板などの透明・半透明の板に貼り付けられていることを特徴とする請求項１又は２記載の打抜き飾りの衝立等仕切り部材。
【請求項９】
前記組子などの打ち抜いた打抜き飾り材は、前記外枠体と前記飾り材用フレームや前記飾り材用フレームと飾り材用フレームにより設けられる飾付け用スライド部に沿って摺接して移動可能にするための外側縁部と、前記外側縁部に対して着脱自在な内側模様部とを備え、前記着脱自在な内側模様部に多様な打ち抜き模様を施したものを交換して取り付けることを特徴とする請求項１又は２記載の打抜き飾りの衝立等仕切り部材。
【考案の詳細な説明】
【技術分野】
【０００１】
本考案は、室内に立てて部屋を仕切ったり、客席と客席との間を仕切ったり、カウンターやテーブルを所定間隔で仕切ったり、飛沫の飛散を防止するために所定空間を仕切る打抜き飾りの衝立等仕切り部材に関する。
【背景技術】
【０００２】
従来から、衝立等の仕切用部材やパーテーションとしては、室内に立てて部屋を仕切ったり、客席と客席との間を仕切ったり、カウンターを所定間隔で仕切ったりするために各種、多様なものが提供されている。また、日本の住宅では、襖（ふすま）、障子（戸）や欄間等が多用されており、障子や、中には、和紙にしたり、欄間のように、木を彫刻して、光を透過しつつ、芸術風の装飾を施す工夫がされている。また、昨年来からの新型コロナ発生の影響で、飛沫を防止するための衝立等の仕切用部材やパーテーションが各種、多様なものが開発されている。飛沫防止のための衝立等の仕切用部材やパーテーションとしては、ガラス板やアクリル板が取り付けられているものが多い。
【０００３】
特許文献としては、例えば、次のものが開示されている。
特許文献１には、その要約から、「（課題）携行性に優れるとともに、軽量かつ低価格なパーテーションを提供する。」とされ、「（解決手段）遮蔽部としての役割を果たし、丸めて保管することが可能なフィルム１と、重力方向に立ち上がり、フィルム１を支持する板状の支持部材２と、を有し、フィルム１の下部に複数の第１の開放スロット部１ａが形成され、支持部材２に、上方に開放し、第１の開放スロット部１ａとそれぞれ嵌合する複数の第２の開放スロット部２ａが形成され、複数の第１の開放スロット部１ａの間のフィルム１の部分が、支持部材２の一方の側と他方の側に交互に配置されることで、フィルム１が波状に撓んで自立するものとする。」と記載されている。
特許文献２には、その要約から、「（課題）特に新型コロナウイルス等の、未知なウイルスであってワクチンが存在せず、人間が免疫を持っていないウイルスの感染を有効に防止するための飛沫防護用の卓上用パーテーションを提供する。」とされ、「（解決手段）シールド本体２と、シールド本体の左右の両端をそれぞれ支持する一対のスタンド部３を具備した自立可能な卓上用パーテーション１であって、シールド本体２は、２枚の板材２ａ、２ｂを重ね合わすことで構成され、スタンド部３はそれぞれ、シールド本体２の左右の両端を挟持して支持する挟持部４と、挟持部４の下端に連設された、側面形状を三角形状としたスタンド本体５と、シールド本体２の左右の両端を支持した状態で挟持部４とシールド本体２との位置を固定するための固定部材８を具備し、シールド本体２は表裏面に光触媒層を具備するとともに、上下動自在とした。」と記載されている。
【０００４】
また、襖（ふすま）、障子（戸）においては、組子（或いは組子細工）と呼ばれる木片を使用した飾り細工を組み合わせて使用される場合もある。組子は組子細工とも呼ばれ、小さく切り出した木片を、釘を使わずに組み合わせて美しい幾何学模様を描く。木片の切り出しから行い、各パーツには組み合わせる際にパーツ同士を噛み合わせるための溝を彫り、切り出したパーツをカンナやノコギリ、ノミなどを使って調整し、一切釘などの金属を使わずに丁寧に手作業で組み合わせていき、木を組み込んでいく工程は細かい作業で作り上げられる芸術性の高いものである。日本家屋の中で使われる障子（しょうじ）や襖（ふすま）、戸などの建具の装飾として使われている。
【先行技術文献】
【特許文献】
【０００５】
【特許文献１】実用新案登録第３２３０１１４号公報
【特許文献２】実用新案登録第３２２８２１７号公報
【考案の概要】
【考案が解決しようとする課題】
【０００６】
ここで、従来の衝立等の仕切用部材やパーテーションにおいて、伝統的な組子細工を組み合わせして使用することが考えられる。しかしながら、単に両者を組み合わせたとしても、簡易かつ多様なデザインの衝立等の仕切用部材やパーテーションを作ることは容易ではない。特に、飛沫防止のためにガラス板やアクリル板等が配置されたものにおいては、その配置を考慮して、組子を配置しなければならないが、単に外枠体に載置するだけでは、組子が落下してしまう事態が生じる。また、ガラス板やアクリル板等が配置されたものにおいて組子等の飾り材を配置したり、そのための飾り付け用のフレームを配置しなければならないとすると（格子状の枠を設けると）、ガラス板やアクリル板などの清掃作業が行い難くなるという問題がある（格子状の枠内のみでの拭き掃除やスプレー清掃になる。）。
一方、飛沫防止のためにガラス板やアクリル板等が配置されたものにおいては、衛生上の理由から、ガラス板やアクリル板等を消毒液などを付けたタオルなどでふき取る作業が必要になることから、時に組子がその邪魔になるようなことがあると、タオルなどで拭き掃除ができない事態が生じる。また、障子（戸）などの紙製では、飛沫防止には、有効ではないが、単、衝立等の仕切用部材やパーテーションに組み込んでも、紙の張りが失われる（紙が張った状態で長く持続しない）という問題を有する。また、襖や障子紙を張り替える作業は、ガラス板を抜き差しするような簡単な作業ではないのみならず、汚れも変化することから、交換の時期の判断が難しく、しかも、衛生に保つ必要があるとすると（飛沫防止のために）、その取り付け方が難しいという問題がある。
そして、ガラス板やアクリル板などを使用した衝立等の仕切用部材やパーテーションであったとして、従来のものでは、光を透過しつつ、多種・多様なデザインを、簡易に、かつ、安定して、尚且つ、奥行きのあるデザイン（３Ｄのような立体模様等）に魅せることができないものが多かった。
【０００７】
そこで本考案の目的は、組子やシート状の打抜き飾り材を外枠体に対して着脱自在で移動可能に配することで、多種・多様や装飾を施すとともに、ガラス板やアクリル板を介して立体的に打抜き飾り材を立体的に表示したり、ガラス板などに沿って移動させて滑って移動させ易くしたり、中央の透明板や組子などを組み立て式にすることができ、また、組子やシート状の打抜き飾り材を利用して、障子や和紙をした場合でも、光が透過できるようにして、背面側の装飾が正面側からでも鑑賞できるようにし、しかも、ガラス板やアクリル板等の清掃も容易な構造にした打抜き飾りの衝立等仕切り部材を提供することにある。
【課題を解決するための手段】
【０００８】
本考案は、上記課題を解決するために、格子状などの模様が施された衝立等の仕切用部材において、ガラス板やアクリル板などを中央に配置する透明・半透明の板、及び／又は、障子・和紙・布地などを中央に配置する透光性を有するシート体と、これらを取り付ける外枠体と、前記外枠体を格子状に仕切るための飾り材用フレームと、組子などの打ち抜いた打抜き飾り材を備え、前記外枠体の外周に前記透明・半透明の板又は透光性を有するシート体を着脱するためのスリットが形成されて装脱自在に構成されているとともに、前記外枠体と前記飾り材用フレームや前記飾り材用フレームと飾り材用フレームにより設けられる飾付け用スライド部を所定位置に設けて、前記表側枠体と前記裏側枠体の少なくも一方に前記打ち抜き飾り材を着脱自在に配置することを特徴とする打抜き飾りの衝立等仕切り部材である。
本考案によれば、透明なガラス板やアクリル板や透光性を有する和紙や障子を介して、打抜き飾り材をその表側や裏面側に着脱自在で移動可能に保持する構造であり、前記打抜き飾り材を安定保持することができる。また、透明ガラス板などが中央に配置されるときは、前記透明ガラス板を介して表側と裏面側に挟持させて移動させることができ、ガラス板などに沿って移動させるので、滑って移動させ易くなる。また、前記障子等の透光性のシート体が中央に配置されるときには、前記透光性のシート体を介して光を透過しつつ透光性のシート体の色や模様を鑑賞することができる。すなわち、打ち抜き模様で光が多く取り込む模様を演出できるが、透光性のシート体により背面側の打ち抜き模様やその影絵を正面側からでも見ることができ、しかも、正面側の打ち打抜き飾り材模様と併せて、多重（３Ｄ）の模様として、鑑賞できる。
ここで、「透明」とは、一般に、光が通過する物質の性質において、透過率が極めて高く、物質を 通してその向こう側が透けて見える状態の性質を指す。そして、「透光性を有する」とは、「透明」と同様に光が透過する性質を有するが、透過する光が拡散されるため、又は透過率が低いために、「透明」と違ってその 材質を通して向こう側の形状等を明確に認識できない、又はまったく認識できない状態の性質を指す。磨りガラス板や乳白色プラスティック等の材質の場合がそれに当たり、本願の明細書中の和紙や障子は、このような透光性を有するものである。そして、打ち抜き飾り材の打ち抜き模様で光が多く取り込む模様を演出できる。
本考案としては、組み立て式の飛沫防止用の衝立やパーテーションであることが好ましい。中央の板やシート体は装脱可能であり、組子等の打ち抜き部材は着脱可能であり、組み立て式であることから、使用する場所に運んで、容易に組み立てて使用することができる。そして、中央の板やシート体はスリットを介して取り出して、消毒したり、拭き掃除したりすることができる。
また、本考案は、格子状などの模様が施された衝立等の仕切用部材において、ガラス板やアクリル板などを中央に配置する透明・半透明の板や、及び／又は、障子・和紙・布地などを中央に配置する透光性を有するシート体と、これらを取り付ける外枠体と、前記外枠体を格子状に仕切るための飾り材用フレームを備え、前記外枠体に前記透明・半透明の板又は透光性を有するシート体を着脱するためのスリットが上部及び／又は左右側部にスリットが設けられており、前記ガラス板やアクリル板などの透明・半透明の板、及び／又は、前記障子・和紙・布地などの透光性を有するシート体を装脱したり、及び／又は、左右から引きで出して左右に長くしたりできるとともに、前記外枠体と前記飾付け用フレームが前記透明・半透明板や前記透光性を有するシート体を介して表側枠体と裏側枠体が配置されていることを特徴とする打抜き飾りの衝立等仕切り部材である。
本考案によれば、前記外枠体の外周に前記透明・半透明の板又は透光性を有するシート体を着脱するためのスリットが形成されて装脱自在に構成されていることから、格子状などの模様が施されていたとしても、前記透明・半透明の板及び／又は透光性を有するシート体を前記スリットを介して取り出して、拭き掃除などの清掃作業が行える。そして、前記中央の透明・半透明板を左右に引き出して、空間を仕切る範囲を広げたり、また、前記二枚の透明・半透明の板を配置したり、又は、透光性を有する板を透明・半透明板で挟んだりして、効率的な複数枚の使用が可能になる。
【０００９】
本考案としては、前記ガラス板やアクリル板などの透明・半透明の板、及び／又は、前記障子・和紙・布地などの透光性を有するシート体が前記外枠体の中央に配置されるとともに、前記打抜き飾り材が前記表側枠体と前記裏側枠体の両方において配置されて、前記中央の透明・半透明板や透光性を有するシート体を介して表側と裏側の一方から他方側の打抜き飾り材を見ることができることを特徴とする。
本考案によれば、前記打抜き飾り材は、前記表側と裏側の両方に前記打ち抜き飾り材を着脱自在に配置することができるので、中央の透明・半透明の板や前記障子・和紙・布地などを中央に配置する透光性を有するシート体を介して立体的に打抜き飾り材を鑑賞することができる。ここで、二枚の透明なガラス板などの間に障子・和紙・布地などの透光性を有するシート体を介在させると、裏側に配した打ち抜き材が前記シート体を介して影になって映り、表側の打抜き飾り材との立体的なデザインを鑑賞することができる（奥行きのあるデザインとして鑑賞することができる。）。
本考案としては、前記打抜き飾り材は、多角形状であり、その外周角の対向する辺に沿って前記飾付け用スライド部に挟まれた摺接移動が可能に構成されているか、又は、前記打抜き飾り材は、円形状或いは楕円形であり、その外周辺に沿って前記飾付け用スライド部に挟まれた摺接移動が可能に構成されていることを特徴とする。
本考案によれば、前記打抜き飾り材は、多角形状であるか、又は、円形状或いは楕円形状であることから、前記飾付け用スライド部に挟まれた状態での安定した摺接移動が可能である。
なお、従来の伝統的な組子には、外部に突出部（例えば、角部に外部に突出した模様を形成した組子）のある組子があるが、このような組子は前記飾付け用スライド部に配置することはできないが、本考案の組子によれば、外周に突出したものではないので、飾付け用スライド部に挟まれて着脱でき移動も可能である。
本考案としては、前記飾付け用スライド部の幅が縦方向と横方向とでその幅間隔に差異を設けて形成されており、前記打抜き飾り材は、縦幅と横幅の異なる多角形状であるか、又は、縦幅と横幅の異なる楕円形状であり、前記縦幅と横幅の異なる飾り付け用スライド部に配置されて摺接移動が可能に構成することも可能である。
本考案によれば、縦幅と横幅の異なる多角形状や楕円形状の打抜き飾り材を安定して着脱したり移動させたりすることができるとともに、飾り付け用スライド部の幅間隔の異なるようにして飾付け用フレームにより枠組として模様に変化を持たせることができる。
【００１０】
本考案としては、前記中央の透明・半透明の板は、少なくとも２枚で構成されており、これらガラス板の間に前記透光性を有するシート体が配置されており、前記透光性を有するシート体が配置される位置は、前記外枠体と前記飾り材用フレームや前記飾り材用フレームと飾り材用フレームにより飾付け用スライド部飾り材用フレームと飾り材用フレームにより設けられる飾付け用スライド部の位置であり、その他の部分では、前記ガラス板やアクリル板などの透明な板で構成されていることを特徴とする。
本考案によれば、部分的に前記透光性のシート体が配されているが、組子等の打抜き飾りを材を配置する箇所に配置することで、これらの重なり合いの模様やデザインを鑑賞することができる。すなわち、透明なガラス板を介しての模様等と、透光性を有するシート体を介して模様等とを同時に緩衝できるほか、これらの板やシート体を組み合わせたり、これらの板やシート体を複数にすることで、多様な模様等を鑑賞することができる。
【００１１】
本考案としては、前記中央の透明・半透明の板は、その上方側に前記上方のスリットの上端に掛止するためのＬ字状の掛止部が設けられているか、及び／又は、手で把持して引き出すための把持部が設けられているとともに、その下端側には障子・和紙・布地などの透光性を有するシート体を抜き差しするための載置部が突出して設けられていることを特徴とする。
本考案によれば、Ｌ字状の掛止部を手で把持してスリットから容易に引き出すことができる。また、前記載置部が突出して設けられていることから、前記中央の透明・半透明の板を引き出すと、同時に障子・和紙・布地などの透光性を有するシート体を取り出すことができる。
【００１２】
本考案としては、前記中央の透明・半透明の板や透光性を有するシート体は、一方側の透明・半透明の板と他方側の透明・半透明の板との間に前記透光性を有するシート体が挟持されるとともに、前記透光性を有するシート体の表面又は裏面に前記打抜き飾り材をシート状に形成したものが配置されていることを特徴とする。
本考案によれば、和紙や障子をピンと張った状態で配置することができる。すなわち、和紙や障子である前記シート体を真っすぐにピンと張った状態に取り付けることは難しいところ、本考案では、前記中央の二枚のガラス板の間に和紙や障子が挟持されるので、和紙や障子をピンと張った状態で配置することができる。また、飾りデザインを多種・多様にするために、前記透光性のシート体の表裏に前記打抜き飾り材に重ね合わせて取り付けるときにも、前記中央の二枚のガラス板の間に配置するので、その一方が落下したりすることがなく、また、外枠体の一部分に前記透光性のシート体や前記打抜き飾り材をガラス板などで挟んでも、落下するようなことが防止できる。
また、本考案としては、前記外枠体は、四角形や多角形などの矩形状を呈しており、その左右側部にスリットが設けられおり、前記中央の透明・半透明の板や、又は、前記透光性を有するシート体を左右の外方に引き出し可能に構成され、前記二枚中央の透明・半透明の板を配置する場合は各々左右に引き出し可能に構成されているとともに、前記中央の透明・半透明の板や、及び／又は、前記透光性を有するシート体に、手で把持して引き出すための把持部が設けられていることを特徴とする。
本考案によれば、前記中央の透明・半透明板を左右に引き出して、空間を仕切る範囲を広げたり、透明・半透明の板の表面を拭き掃除したりすることができる。また、前記二枚の透明・半透明の板を各々左右に引き出すことで、効率的な前記二枚の使用が可能になる。
また、本考案としては、前記障子・和紙・布地などの透光性を有するシート体は、表側と裏側の二枚で構成されて、これらの間に前記ガラス板やアクリル板などの透明・半透明の板が挟持されるとともに、前記表側と裏側の透光性を有するシート体は、消毒液・除菌液が塗布されているか、及び／又は、消毒液・除菌液の水分を利用して前記ガラス板やアクリル板などの透明・半透明の板に貼り付けられていることを特徴とする。
本考案によれば、前記透光性を有するシート体は、その表面に消毒液・除菌液が塗布されていることから、飛沫の除去が図られるとともに、消毒液・除菌液の水分を利用して前記ガラス板やアクリル板などの透明・半透明の板に貼り付けられていることから、前記中央の透明・半透明の板に沿って貼り付けられ、接着剤等をしないので、剥離も容易である。
また、本考案としては、前記組子などの打ち抜いた打抜き飾り材は、前記外枠体と前記飾り材用フレームや前記飾り材用フレームと飾り材用フレームにより設けられる飾付け用スライド部に沿って摺接して移動可能にするための木製の外側縁部と、前記外側縁部に対して着脱自在な木製の内側模様部とを備え、前記着脱自在な内側模様部に多様な打ち抜き模様を施したものを交換して取り付けることを特徴とする。
本考案によれば、外側縁部は、木製の外側縁部で構成されており、弾力性を持って前記スライド部に沿って挟まれて摺接移動可能であり、前記着脱自在な内側模様部に多様な打ち抜き模様を施したもので、交換して取り付けが簡易かつ容易に行うことができる。
【考案の効果】
【００１３】
本考案によれば、組子やシート状の打抜き飾り材を外枠体の表裏やガラス板等の中央の透明・半透明板を介して３Ｄのように立体的に表示できるとともに、ガラス板などに沿って移動させるので、滑って移動させ易くなる。また、組子等の打抜き飾り材は着脱可能に構成されているが、外枠体に取り付けたときには、飾付け用フレームによる飾付け用スライド部を介して安定して保持できるので、容易に落下するようなことはなく、また、飾付け用フレームを使用して形成される飾付け用スライド部において安定姿勢で移動させることができるので、多様な模様に変化させることができる。さらに、前記障子等の透光性のシート体が中央に配置されるときには、前記透光性のシート体を介して光を透過しつつ透光性のシート体の色や模様や影絵を鑑賞することができる（背面側の打ち抜き模様やその影絵を正面側からでも見ることができる）。
【図面の簡単な説明】
【００１４】
【図１】本考案の第一の実施形態の衝立等の仕切用部材を示す図である。
【図２】本考案の第一の実施形態の衝立等の仕切用部材の使用状態を示す図である。
【図３】本考案の第一の実施形態の衝立等の仕切用部材の別の例を示す図である。
【図４】本考案の第二の実施形態の衝立等の仕切用部材を示す図である。
【図５】本考案の第二の実施形態の衝立等の仕切用部材の組み立て方を示す図である。
【図６】本考案の第二の実施形態の衝立等の仕切用部材の拡大図である。
【図７】本考案の第三の実施形態の衝立等の仕切用部材を示す図である。
【図８】本考案の第三の実施形態の衝立等の仕切用部材の飾りの例を示す図である。
【図９】本考案の第四の実施形態の衝立等の仕切用部材を示す図である。
【図１０】本考案の組子の移動する状態を示す正面図と背面図である。
【考案を実施するための形態】
【００１５】
以下、本考案を実施するための一形態について、図面を引用しながら説明する。
（第一の実施形態）
図１は、本考案の第一の実施形態の衝立等の仕切用部材を示す図であり、図２は、本考案の第一の実施形態の衝立等の仕切用部材の使用状態を示す図である。
【００１６】
本考案の衝立等の仕切用部材１は、室内に立てて部屋を仕切ったり、客席と客席との間を仕切ったり、カウンターやテーブルを所定間隔で仕切ったり、又は、飛沫の飛散を防止するために所定空間を仕切る衝立等の仕切用部材である。外枠体２は、表側枠体１Ａと裏側枠体１Ｂを備え、これらの間にスリット２ａが形成され、ガラス板やアクリル板などの透明・半透明板３が挿脱可能である。すなわち、衝立等の仕切用部材１は外枠体２の上方にスリット２ａを備え、前記スリット２ａは、前記表側枠体１Ａと前記裏側枠体１Ｂとの間に設けられており、ガラス板やアクリル板などの透明・半透明板３を外枠体２の中央に配置することができる構成である。このスリットには、透明・半透明板３が装脱されるが、障子・和紙・布地などの透光性を有するシート体４であってもよい。
また、外枠体２に前記打抜き飾り材６を着脱自在に保持する飾付け用フレーム５を備え、飾付け用スライド部５ａを所定位置に設けて、透明・半透明板３や透光性を有するシート体４を介してその表側と裏側の少なくも一方に組子などのような木や合成樹脂材などを打ち抜いた打抜き飾り材６を着脱自在に配置する。飾付け用フレーム５は、前記表側枠体１Ａと裏側枠体１Ｂに対応して、表側と裏側に各々配されている。なお、飾付け用フレーム５は、外枠体２に着脱自在に構成することが可能である。
【００１７】
打抜き飾り材６は、多角形状や円形状で作成され、その外周角の対向する辺に沿って飾付け用スライド部５ａに挟まれた摺接移動が可能で、かつ、着脱可能に構成されている。打抜き飾り材６としては、多角形状や円形状ではなく、シート状にデザインを切り抜く等して作成されたものを取り付けることもできる。
図１（ａ）（ｂ）の例は、図１（ａ）が正面図であり、図１（ｂ）が背面図であるが、各々に前記表側枠体１Ａと前記裏側枠体１Ｂが配されており、一対の前後の組子６，６Ａが取り付けられて、飾り材用フレーム５により飾り付け用スライド部５ａに沿って移動可能に着脱されるものである。
図２の例は、灯篭を模した合成樹脂性の薄い打ち抜き飾り材６Ｃを透明・半透明板３を介して表側と裏側の両方に配置したものであり、このようにすることで、飾りを奥行きのある立体的なデザインとすることができる。また、打抜き飾り材６としては、組子のような木製で、縦幅と横幅の異なる多角形状や楕円形状のものを使用可能であり、これに対応して、飾り材用フレーム５により飾り付け用スライド部５ａの間隔を変更することができる。本実施の形態では、外枠体２と、飾付け用フレーム５は、木製であり、これらに対して、木製の組子６Ａ，６Ｂ（裏面側の組子）が着脱されるようにすることができる。木製の組子６Ａ，６Ｂ（裏面側の組子）は、その外周形状のみを木製とすることで、弾力性を発揮させて、その弾力性を利用して、飾り材用フレーム５により形成される飾り付け用スライド部５ａに弾力性を持って挟持させることができる。
図１０（ａ）（ｂ）（ｃ）の例は、十字状の飾り材用フレーム５を利用して、組子６を飾り付けているものであり、前記表側枠体１Ａと前記裏側枠体１Ｂにおいて一対の前後の組子６，６が取り付けられて、安定支持されている。ここで、組子６は、ガラス板などに沿って移動させて滑って移動させ易くなっている。
ここで、組子などの打ち抜いた打抜き飾り材６としては、前記外枠体６Ｚａと前記飾り材用フレーム５や前記飾り材用フレーム５，５により設けられる飾付け用スライド部５ａに沿って摺接して移動可能にするための外側縁部６Ｚａと、前記外側縁部６Ｚａに対して着脱自在な内側模様部６Ｚｂとを備える。これは、本実施の形態の組子６は、木製であるが、摺接して移動可能にするため、木製の外側縁部６Ｚａにより弾力性を持たせて、飾付け用スライド部５ａに対して移動しやすくしており、また、前記外側縁部６Ｚａに対して着脱自在な内側模様部６Ｚｂとの組み合わせ交換が可能にして、多様な模様を組子６に持たせることが可能になっている。
【００１８】
図３は、本考案の第一の実施形態の衝立等の仕切用部材の別の例を示す図であり、図３（ａ）では、外枠体２にスリット２ａにガラス板やアクリル板などの透明・半透明板３を二枚配置し、透明・半透明板３の間と表側と裏側に三枚の灯ろう（兼六園のことじ灯籠）を模した打ち抜き飾り材６（６Ｃ，６Ｄ，６Ｃ）を配置している。また、図３（ｂ）では、外枠体２にスリット２ａに透明・半透明板３を２枚配置し、透明・半透明板３の間と表側と裏側に３枚の打ち抜き飾り材６を配置している。このようにすることで、さらに立体的に見せることができる。なお、２枚の透明・半透明板３の間に紅葉等の葉を挟持することもでき（実物の落ち葉を配することができる。）、和紙や障子に実物の落ち葉を載せた状態にして、二枚のガラス板で落ちないように挟持可能である。なお、符号１２ａは、飾り材用フレーム５と５の間のスリットを示す。
【００１９】
（第二の実施形態）
図４は、本考案の第二の実施形態の衝立等の仕切用部材を示す図であり、図５は、本考案の第二の実施形態の衝立等の仕切用部材の組み立て方を示す図であり、図６は、本考案の第二の実施形態の衝立等の仕切用部材の拡大図である。
【００２０】
本発明の第二の実施形態の衝立等の仕切用部材１１は、外枠体１２の中央にガラス板やアクリル板などの透明・半透明板１３を２枚配置し、２枚の透明・半透明板１３の間に障子・和紙・布地などの透光性を有するシート体１４を配置したもので、脚付きキャスターにとりけられた衝立である。２枚の透明・半透明板１３の間に障子・和紙・布地などの透光性を有するシート体１４を挟持することで、透光性を有するシート体１４をピンと張った状態で綺麗に配置することができる。また、透光性を有するシート体１４が汚れたり傷ついたりすることを防止できる。
ここで、図４（ｂ）に示すように、透明・半透明板１３と１３の間に配置する透光性を有するシート体１４は部分的に配置しても良い。また、本例では紅葉の葉を漉いた和紙を使用しているが、２枚の和紙を使用して和紙の間に紅葉やカエデの葉を挟んで配置することもできる。すなわち、前記中央の透明・半透明の板１３や透光性を有するシート体１４は、一方側の透明・半透明の板１３と他方側の透明・半透明の板１３との間に前記透光性を有するシート体１４が挟持され、前記透明・半透明な部分と、前記打ち抜き飾り材６を着脱自在に配置された前記透光性を有するシート体部分とにより、前記中央の透明・半透明板やシート体を組み合わせて構成する（各々複数設けるなどすることができる。）。したがって、中央のガラス板等を介して組子等の打抜き飾り材６を何重にも見ることができ（立体な鑑賞ができ）、その正面側から背面側の組子等の打抜き飾り材６（６Ａ〜６Ｄ）を認識できる（図２、図４）。
そして、前記打抜き飾り材６を着脱自在で移動可能に保持する飾付け用フレーム５を使用した前記飾付け用スライド部５ａを設けた位置には、前記打ち抜き飾り材６を着脱自在に配置されるようにすることが好ましい。例えば、外枠体１２の外周に沿うように飾り付け用スライド部１５ａが飾付け用フレーム１５により形成されており、中央は透明なガラス板やアクリル板１３により、裏面側を見ることができ、前記障子や和紙のある個所では、裏面側に配置した打ち抜き材６（６Ａ〜６Ｄ）が影になって表側から認識できるものとすることができる（図４（ｂ））。
また、前記障子・和紙・布地などの透光性を有するシート体１４は、表側と裏側の二枚で構成されて、これらの間に前記ガラス板やアクリル板などの透明・半透明の板１３が挟持される構成にすることもできる。そして、前記表側と裏側の透光性を有するシート体１４は、消毒液・除菌液が塗布されているものを使用すると、衛生的な使用ができ、飛沫防止用の衝立やパーテーションとして好ましいものとなる。また、消毒液・除菌液の水分を利用して前記ガラス板やアクリル板などの透明・半透明の板に貼り付けることもでき、接着剤等をしないので、ガラス板等に取り付けたり、剥離も容易である。
【００２１】
図５（ａ）は、衝立等の仕切用部材１１の外枠体１２の断面斜視図であり、外枠体１２は、スリット１２ａを備えている。図５（ｂ）、（ｃ）に示すように、表側枠体１Ａと裏側枠体１Ｂを備え、これらの間にスリット２ａ，１２ａが形成され、スリット２ａ，１２ａ内に２枚の透明・半透明板１３と１３を配置し、２枚の透明・半透明板１３と１３の間に障子・和紙・布地などの透光性を有するシート体１４を配置することができ、また、合成樹脂性の薄い打ち抜き飾り材６Ｃを配置したり、実物の落ち葉を配置してガラス板等で挟むことができる。
また、前記二枚中央の透明・半透明の板３を外枠体１２の各々左右に設けたスリット１２ｂから引き出し可能に構成することもできる（図１（ｃ））。手で把持して引き出すための把持部が設けられているが好ましいが、下記のような掛止部１３ａでも良い。
【００２２】
図６（ａ）は透明・半透明板１３の上部を示す断面図であり、透明・半透明板１３の上部には、スリット２ａ，１２ａの上端に掛止するためのＬ字状の掛止部１３ａが設けられている。
また、図６（ｂ）は透明・半透明板１３の下部を示す断面図であり、透明・半透明板１３の下端には載置部１３ｂが設けられており、障子や和紙や布地などの透光性を有するシート体１４を配置するとき、透光性を有するシート体１４の下端が載置部１３ｂに載置され、載置部１３ｂが設けられた透明・半透明板１３を取り外しすることで、障子や和紙や布地などの透光性を有するシート体１４を簡単に取り外しすることができる。
【００２３】
（第三の実施形態）
図７は、本考案の第三の実施形態の衝立等の仕切用部材を示す図であり、図８は、本考案の第三の実施形態の衝立等の仕切用部材の飾り付けの例を示す図である。
【００２４】
本考案の第三の実施形態の衝立等の仕切用部材２１は、飾付け用スライド部２５ａの幅が縦方向と横方向とでその幅間隔に差異を設けて形成されており、打抜き飾り材２６は、縦幅と横幅の異なる多角形状であるか、又は、縦幅と横幅の異なる楕円形状であり、前記縦幅と横幅の異なる飾り付け用スライド部２５ａに配置されて摺接移動が可能となっている。
図８は、打抜き飾り材２６の例を示すものであり、多角形状や長方形状（２６Ａ）、円形形状や楕円形状（２６Ｃ）等の打抜き飾り材２６を衝立等の仕切用部材。２１に配置することができるが、形状はこれに限定されない。
【００２５】
（第四の実施形態）
図９は、本考案の第四の実施形態の衝立等の仕切用部材を示す図である。
本考案の第四の実施形態の衝立等の仕切用部材３１は、引き戸であり、上部に外枠体３２と前記中央の透明・半透明の板３３や透光性を有するシート体３４を備え、打抜き飾り材３６を着脱自在で移動可能に保持する飾付け用フレーム３５を使用した飾付け用スライド部３５ａを設けた位置には、打ち抜き飾り材３６が着脱自在に配置される。
【００２６】
以上、本考案では、上記実施の形態に限定されるものではなく、その趣旨を逸脱しない範囲で適宜変更が可能である。例えば、本実施の形態では、容易に組み立てて使用することができる組み立て式の衝立や引戸（玄関口の開閉式の戸）を例に説明したが、パーテーション、障子（戸）、格子戸、襖、欄間、窓枠等に適用可能である。
【符号の説明】
【００２７】
１，１１、２１、３１  本考案の打抜き飾りの衝立等仕切り部材、
３１      玄関の引き戸（本考案の衝立等の仕切用部材）、
１Ａ      表側枠体、１Ｂ      裏側枠体、
２、１２、２２、３２  外枠体、
２ａ  スリット（上部スリット）、１２ａ  スリット（飾り材用フレームのスリット）、
１２ｂ  左右の外側スリット、
３、１３、２３、３３  透明・半透明板、１３ａ  Ｌ字状の掛止部、１３ｂ  載置部、
４、１４、２４、３４  透光性を有するシート体、
５、１５、２５、３５  飾り材用フレーム、
５ａ、１５ａ、２５ａ、３５a  飾り付け用スライド部、
６、６Ａ、６Ｂ、１６、２６、３６  打抜き飾り材、
６Ａ，６Ｂ  組子、６Ａ  正面側の組子、６Ｂ  裏面側の組子、
６Ｃ  薄型打抜き飾り（ことじ灯ろうの打抜き飾り）、
６Ｄ  透明・半透明板と透明・半透明板の間に配置される薄型の打抜き飾り材、
６Ｚ  組子（打抜き飾り材）、６Ｚａ  外側縁部、６Ｚｂ  内側模様部
【図１】
0003232265.tif 000003
【図２】
0003232265.tif 000004
【図３】
0003232265.tif 000005
【図４】
0003232265.tif 000006
【図５】
0003232265.tif 000007
【図６】
0003232265.tif 000008
【図７】
0003232265.tif 000009
【図８】
0003232265.tif 000010
【図９】
0003232265.tif 000011
【図１０】
0003232265.tif 000012